(57)【要約】      （修正有）【課題】使用者が簡単に力をかけて挿入口を開くことができる二重キーリング構造を提供する。【解決手段】リング体１は第一端１１及び第二端１２を有し、前記第一端１１及び第二端１２は前記リング体１の上部及び底部に位置されると共に互いに重畳しない。前記リング体１は第一押圧部１３及び第二押圧部１４を有し、前記第一押圧部１３及び第二押圧部１４はリング体１に対して反り曲がり、前記第一押圧部１３及び第二押圧部１４の位置は互いに対応し合うと共にギャップ１５が形成される。前記第一押圧部１３及び第二押圧部１４の両側には前記リング体１に沿って形成される、貼り合わせ箇所に応力点１６がそれぞれ形成され、これら前記応力点１６は前記第一押圧部１３及び第二押圧部１４が押圧された後に支持させる支持点により、第一端１１及び第二端１２が連動されて挿入口が同時に形成され、装着するキーが挿入される。【選択図】図１
2019017994.tif 000002
【特許請求の範囲】
【請求項１】
螺旋状に構成される二層のリング体であり、第一端及び第二端を有するリング体であって、前記第一端及び第二端は前記リング体の上部及び底部に位置されると共に互いに重畳せず、前記リング体は第一押圧部及び第二押圧部を有し、前記第一押圧部及び第二押圧部はリング体に対して反り曲がり、前記第一押圧部及び第二押圧部の位置は互いに対応し合うと共にギャップが形成され、前記二重キーリング構造の前記二層のリング体の第一リングの前記第一押圧部を超過する部分は前記二重キーリング構造の前記二層のリング体の第二リングの前記第二押圧部を超過する部分に緊密に当接され、前記第一押圧部及び第二押圧部の両側には前記リング体に沿って形成される、貼り合わせ箇所に応力点がそれぞれ形成され、これら前記応力点は前記第一押圧部及び第二押圧部が押圧された後に支持させる支持点により、第一端及び第二端が連動されて挿入口を同時に形成させることを備え、
ここでは、前記リング体は前記リング体の長さに沿って均等な厚さ及びほぼ矩形を呈する断面を有する材料で製造され、第一フラット面及び第二フラット面は前記リング体の前記長さに沿って前記第一端から前記第二端まで延伸され、前記第二フラット面は前記第一フラット面に対応させ、
また、前記リング体の前記第一端及び前記第二端が前記リング体の中間部に係合されると、前記第一端及び前記第二端が両平面に位置されて互いに間隔が空けられ、前記間隔は前記リング体の前記厚さに等しくなることを特徴とする二重キーリング構造。
【請求項２】
前記第一端及び前記第一押圧部は前記第一リングに形成され、前記第二端及び前記第二押圧部は前記第二リングに形成され、前記第一押圧部及び第二押圧部並びに前記第一端及び第二端はリング体の対応する位置に位置されることを特徴とする請求項１に記載の二重キーリング構造。
【請求項３】
前記第一押圧部及び第一端は同一の平面に位置され、前記第二押圧部及び第二端は同一の平面に位置されることを特徴とする請求項１に記載の二重キーリング構造。
【請求項４】
前記リング体は剛性材質で螺旋状に構成されることを特徴とする請求項１に記載の二重キーリング構造。
【請求項５】
前記リング体は第一端または第二端から前記リング体内部に挿入される距離はリング体に沿って１８０度巻回される距離であることを特徴とする請求項１に記載の二重キーリング構造。
【発明の詳細な説明】
【技術分野】
【０００１】
本発明は、リングバックル（ｒｉｎｇ  ｂｕｃｋｌｅ）に関し、更に詳しくは、キーの装着及び収納に用いられるキーリング構造に関する。
【背景技術】
【０００２】
日常生活が便利になるにつれ、人々は皆機能の異なる複数のキーを持ち歩くようになっている。例えば、家の鍵、部屋の鍵、車のキー、会社のキー、他の様々なキー等がある。キーの取り扱い及び収納を便利にするため、多くの人々が複数のキーを一纏めにして１つのキーリングに装着し、取り出して使用しやすくしている。
【０００３】
このような利便性を満たすため、様々なキーリングやキーホルダーの設計が生み出された。様々な種類のキー構造及び材質に対応し、同時に耐久性を兼ね備え、異なる装着構造を有している。
【先行技術文献】
【特許文献】
【０００４】
【特許文献１】米国特許出願第８，４６４，５６４号明細書
【発明の概要】
【発明が解決しようとする課題】
【０００５】
しかしながら、従来の特許文献では、例えば、圧縮ギャップ付きキーリングこと発明が記載されている（例えば、特許文献１参照）。この設計の目的は、このような従来の耐久性が高いキーホルダーを開く場合、指の爪をキーホルダーの切り欠きに引っ掛けて開かねばならないため、力が要る上に爪が割れる等の欠点があった。
【０００６】
特許文献１にはギャップを圧縮するキーホルダー構造が記載されているが、その構造の設計は圧縮方式により開口部を跳ね起こし、装着されるキーを自由に取り出す或いは挿入させることができる。然しながら、その構造は圧縮設計に適うが、リング構造には一層の板体を増設させて圧縮力を掛ける必要があり、このため、キーがリング内に挿入された後にリング体に沿って２周半以上の距離を巻回させねばキーが挿入されなかった。これでは設計が複雑であり、利便性も不足している。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、二重キーリング構造を提供することを主目的とする。キーリング構造は構造が変形することで圧力板構造を形成させ、てこの原理により使用者が簡単に力をかけて挿入口を開くことができる。また。キーをリング体に沿って１８０度巻回させるのみで挿入可能であり、耐久性を兼ね備えるほか、最高のコストパフォーマンスと利便性を達成させる。
【課題を解決するための手段】
【０００９】
上記課題を解決するために、本発明のある態様の二重キーリング構造は、リング体を備える。前記リング体は螺旋状に構成される二層のリング体である。前記リング体は第一端及び第二端を有し、前記第一端及び第二端は前記リング体の上部及び底部に位置されると共に互いに重畳しない。前記リング体は第一押圧部及び第二押圧部を有し、前記第一押圧部及び第二押圧部はリング体に対して反り曲がり、前記第一押圧部及び第二押圧部の位置は互いに対応し合うと共にギャップが形成される。また、前記第一押圧部及び第二押圧部並びに前記第一端及び第二端はリング体１の対応する位置に位置され、前記第一押圧部及び第二押圧部の両側には前記リング体に沿って形成される貼り合わせ箇所に応力点がそれぞれ形成される。これら前記応力点は前記第一押圧部及び第二押圧部が押圧された後に支持させる支持点により、第一端及び第二端が連動されて挿入口が同時に形成され、使用者が装着したいキーを選択して挿入できるようになる。
【図面の簡単な説明】
【００１０】
【図１】本発明の一実施形態に係る二重キーリング構造を示す外観斜視図である。
【図２】本発明の一実施形態に係る二重キーリング構造を示す組合わせ断面図である。
【図３】本発明の操作概略断面図（一）である。
【図４】本発明の操作概略断面図（二）である。
【図５】本発明の他の操作概略傾斜図である。
【発明を実施するための形態】
【００１１】
以下に図面を参照して、本発明を実施するための形態について、詳細に説明する。なお、本発明は、以下に説明する実施形態に限定されるものではない。
【実施例】
【００１２】
本実施例の発明は、図１は本発明の一実施形態に係る二重キーリング構造を示す外観斜視図であり、図２は本発明の一実施形態に係る二重キーリング構造を示す組合わせ断面図である。本発明の二重キーリング構造はリング体１を備える。本発明の最も好ましい実施例に係る前記リング体１は二層のリング体であり、前記リング体１は剛性材質で螺旋状に構成される。前記リング体１は第一端１１及び第二端１２を有し、前記第一端１１及び第二端１２は前記リング体１の上部及び底部に位置されると共に互いに重畳しない。前記リング体１には第一押圧部１３及び第二押圧部１４を有し、前記第一押圧部１３及び第二押圧部１４はリング体１に対して反り曲がり、前記第一押圧部１３及び第二押圧部１４の位置は互いに対応し合う。第一端１１及び第一押圧部１３は第一リングに形成される。第二端１２及び第二押圧部１４は第二リングに形成され、前記第一押圧部１３及び第二押圧部１４が反り曲がることによりギャップ１５が形成される。前記第一押圧部１３及び第二押圧部１４並びに前記第一端１１及び第二端１２はリング体１の対応する位置に位置され、リング体１の第一リングの第一押圧部１３を超過する部分はリング体１の第二リングの第二押圧部１４を超過する部分に緊密に当接される。前記第一押圧部１３及び第二押圧部１４の両側には前記リング体１に沿って形成される、貼り合わせ箇所に応力点１６がそれぞれ形成される。図２の構造の断面図に示されるように、本実施形態では、前記第一押圧部１３は第一端１１と同一の平面に位置され、前記第二押圧部１４は第二端１２と同一の平面に位置され、第一端１１及び第一押圧部１３は第一リングに形成される。第二端１２及び第二押圧部１４は第二リングに形成される。リング体１はリング体１の長さに沿って均等な厚さ及びほぼ矩形を呈する断面を有する材料で製造され、第一フラット面３１及び第二フラット面３２はリング体１の長さに沿って第一端１１から第二端１２まで延伸され、第二フラット面３２は第一フラット面３１に対応させる。リング体の第一端１１及び第二端１２がリング体１の中間部１７に係合されると、第一端１１及び第二端１２が両平面２１、２２に位置されて互いに間隔が空けられ、前記距離はリング体１の厚さに等しくなる。
【００１３】
また、図３は本発明の操作概略断面図である。本発明の二重キーリング構造の操作時に、前記第一押圧部１３及び第二押圧部１４が同時に押圧されて力がかけられると前記ギャップ１５に向けて圧縮され、且つ前記変動しない応力点１６により支持力が発生し、てこの原理のように第一端１１及び第二端１２が同時に連動されて外に跳ね起こされ、前記リング体１が異なる角度の挿入口を同時に形成させる。何れか１つのキー１００のリング穴１０１を任意の第一端１１または第二端１２に形成される挿入口から第一押圧部１３の位置まで最大１８０度の距離を移動させると（即ち、リング体１に沿って半周させる）、キー１００が前記リング体１の内部に挿入され、図４の他の操作概略断面図に示されるようになる。本発明のキーリング構造は使用が便利であり、且つ耐久性も兼ね備え、キーを収納及び保管しやすくなる。
【００１４】
図５は本発明の他の操作概略傾斜図である。本発明の二重キーリング構造は操作時に、他のキー１００の挿入方法を有する。前記キー１００が前記ギャップ１５内に平行に貫入され、前記リング体１に沿って１８０度移動を行う。図面中の軌跡の矢印に示されるように、移動過程で前記キー１００本体が前記リング体１の二層構造を開いて第一端１１または第二端１２の位置まで移動されると、本実施例では第一端１１の位置に対応させ、前記第一端１１が自然と跳ね起こされた後に前記リング穴１０１内に貫入され、使用者が操作時に前記第一押圧部１３及び第二押圧部１４を押圧せずとも第一端１１または第二端１２が挿入口を形成する。これが本発明の構造設計上の他の特徴である。
【００１５】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
当業者に理解されるところである。
【符号の説明】
【００１６】
１  リング体
１１  第一端
１２  第二端
１３  第一押圧部
１４  第二押圧部
１５  ギャップ
１６  応力点
１７  中間部
２１  平面
２２  平面
３１  第一フラット面
３２  第二フラット面
１００  キー
１０１  リング穴
【図１】
2019017994.tif 000003
【図２】
2019017994.tif 000004
【図３】
2019017994.tif 000005
【図４】
2019017994.tif 000006
【図５】
2019017994.tif 000007